(57)【特許請求の範囲】
【請求項１】
エンジン排気通路のターボ過給機のタービン上流からエンジン吸気通路のターボ過給機のコンプレッサ下流へ排気の一部を環流させるEGR通路を備える多気筒エンジンにおいて、前記排気通路は、排気行程がオーバラップしない気筒群毎に排気マニホールドを分割し、これらの合流部に前記ターボ過給機のタービンハウジングを接続し、各排気マニホールドの下流側がこれらの合流部へ向けて先細ノズル形状の流路部に形成される一方、前記EGR通路は、上流側の分岐路と下流側の合流路とからなり、前記合流路にEGRクーラ、その下流にEGRバルブ、さらにその下流にリードバルブを介装し、各分岐路がこれらの合流部へ向けて先細ノズル形状の流路部に形成されるものにあって、前記エンジン吸気通路は、吸気マニホールドと吸気管とからなり、吸気マニホールドは吸気行程がオーバラップしない気筒群毎に分割し、吸気管は、インタクーラ下流側でEGR通路の接続する部位下流が分岐されそれぞれ前記吸気マニホールドに接続することを特徴とする多気筒エンジン。
ることを特徴とする多気筒エンジン。
【請求項２】
エンジン排気通路のターボ過給機のタービン上流からエンジン吸気通路のターボ過給機のコンプレッサ下流へ排気の一部を環流させるEGR通路を備える多気筒エンジンにおいて、前記排気通路は、排気行程がオーバラップしない気筒群毎に排気マニホールドを分割し、これらの合流部に前記ターボ過給機のタービンハウジングを接続し、各排気マニホールドの下流側がこれらの合流部へ向けて先細ノズル形状の流路部に形成される一方、前記EGR通路は、上流側の分岐路と下流側の合流路とからなり、前記合流路にEGRクーラ、その下流にEGRバルブを介装し、各分岐路がこれらの合流部へ向けて先細ノズル形状の流路部に形成され、前記吸気通路は、ターボ過給機のコンプレッサ下流にベンチュリ部を通過する吸気の流れによってEGRガスを吸引するエゼクタが介装されるものにあって、前記エンジン吸気通路は、吸気マニホールドと吸気管とからなり、吸気マニホールドは吸気行程がオーバラップしない気筒群毎に分割し、吸気管は、インタクーラ下流側でEGR通路の接続するエゼクタ下流が分岐されそれぞれ前記吸気マニホールドに接続することを特徴とする多気筒エンジン。
【請求項３】
前記ターボ過給機は、可変ノズル式ターボチャージャを用いたことを特徴とする請求項１または請求項２に記載の多気筒エンジン。
【発明の詳細な説明】
【技術分野】
【０００１】
この発明は、ターボ過給機のタービン上流からターボ過給機のコンプレッサ下流へ排気の一部を環流させる多気筒エンジンに関する。
【背景技術】
【０００２】
ターボ過給機のタービン上流からターボ過給機のコンプレッサ下流へ排気の一部を環流させる多気筒エンジンにおいては、過給圧が排気圧よりも高くなる運転領域があり、排気環流（EGR：Exhaust Gas Recirculation)が十分に行えない。そのため、２つの排気コレクタ（マニホールド）を備えるエンジンにおいて、２つの排気コレクタからのEGRガス（排気の一部）を合流させる混合区間を設定したものが開示される（特許文献１）。混合区間により、EGRガスが加速され、排気コレクタ間を一方の高圧側から他方の低圧側へ排気が逃げるのを抑えられ、混合区間下流へ排気パルスを効率よく伝えられるのである。
【特許文献１】特開２００１−１０７８１０号
【発明の開示】
【発明が解決しようとする課題】
【０００３】
特許文献１の場合、２つの排気コネクタは、ターボ過給機のタービン入口に接続される。ターボ過給機については、２つの排気コネクタに対応する２つのタービン入口を持つタイプに制約されるのである。タービン入口が１つの場合（例えば、可変ノズル式ターボチャージャ）、タービンハウジングの内部で排気の圧力どうしが干渉するため、タービン効率を良好に維持しえないばかりでなく、２つの排気コレクタ内の排気干渉により、混合区間の良好な効果（EGR率の向上）も有効に確保しえなくなってしまう。
【０００４】
この発明は、タービン入口が１つのターボ過給機を備える多気筒エンジンにおいても、タービン効率およびEGR率を有効に高めえる手段の提供を目的とする。
【課題を解決するための手段】
【０００５】
第１の発明は、エンジン排気通路のターボ過給機のタービン上流からエンジン吸気通路のターボ過給機のコンプレッサ下流へ排気の一部を環流させるEGR通路を備える多気筒エンジンにおいて、前記排気通路は、排気行程がオーバラップしない気筒群毎に排気マニホールドを分割し、これらの合流部に前記ターボ過給機のタービンハウジングを接続し、各排気マニホールドの下流側がこれらの合流部へ向けて先細ノズル形状の流路部に形成される一方、前記EGR通路は、上流側の分岐路と下流側の合流路とからなり、前記合流路にEGRクーラ、その下流にEGRバルブ、さらにその下流にリードバルブを介装し、各分岐路がこれらの合流部へ向けて先細ノズル形状の流路部に形成されるものにあって、前記エンジン吸気通路は、吸気マニホールドと吸気管とからなり、吸気マニホールドは吸気行程がオーバラップしない気筒群毎に分割し、吸気管は、インタクーラ下流側でEGR通路の接続する部位下流が分岐されそれぞれ前記吸気マニホールドに接続することを特徴とする。
【０００６】
第２の発明は、エンジン排気通路のターボ過給機のタービン上流からエンジン吸気通路のターボ過給機のコンプレッサ下流へ排気の一部を環流させるEGR通路を備える多気筒エンジンにおいて、前記排気通路は、排気行程がオーバラップしない気筒群毎に排気マニホールドを分割し、これらの合流部に前記ターボ過給機のタービンハウジングを接続し、各排気マニホールドの下流側がこれらの合流部へ向けて先細ノズル形状の流路部に形成される一方、前記EGR通路は、上流側の分岐路と下流側の合流路とからなり、前記合流路にEGRクーラ、その下流にEGRバルブを介装し、各分岐路がこれらの合流部へ向けて先細ノズル形状の流路部に形成され、前記吸気通路は、ターボ過給機のコンプレッサ下流にベンチュリ部を通過する吸気の流れによってEGRガスを吸引するエゼクタが介装されるものにあって、前記エンジン吸気通路は、吸気マニホールドと吸気管とからなり、吸気マニホールドは吸気行程がオーバラップしない気筒群毎に分割し、吸気管は、インタクーラ下流側でEGR通路の接続するエゼクタ下流が分岐されそれぞれ前記吸気マニホールドに接続することを特徴とする。
【０００７】
第３の発明は、第１の発明または第２の発明に係る多気筒エンジンにおいて、前記ターボ過給機は、可変ノズル式ターボチャージャを用いたことを特徴とする。
【発明の効果】
【００１０】
第１、第３の発明においては、エンジンの排気は、各排気マニホールドにより、排気行程のオーバラップしない気筒群毎に分けられ、合流部からターボ過給機のタービンへ流れる。その際、先細ノズル形状の流路部により、排気パルスが加速され、合流部に吹き出る排気の流速により、合流部の静圧が下がるため、各排気マニホールド間を排気が低圧側へ逆流するのが抑えられ、排気パルスも逃げることなく下流へ伝えられる。EGR通路においても、先細ノズル形状の流路部により、排気パルスが加速され、合流部に吹き出る排気の流速により、合流部の静圧が下がるため、各分岐路間を排気が低圧側へ逆流するのが抑えられ、排気パルスも逃げることなく下流へ伝えられる。このため、ターボ過給機のタービン入口が１つの場合においても、排気パルスが十分に生かせるようになり、タービン効率およびEGR効率を良好に維持しえることになる。排気マニホールドの合流部およびEGR通路の合流部におけるエゼクタ作用により、ポンピングロスが低減され、NOxを低減しつつ、燃費や出力の向上が得られる。EGRガスは、ターボ過給機のタービン下流の各排気マニホールドから分岐路および合流路を通してターボ過給機のコンプレッサ下流へ供給され、合流路において、EGRクーラによって冷却され、EGRバルブによってEGR量が調整され、リードバルブによってEGRガスの逆流が規制される。EGRバルブおよびリードバルブは、EGRクーラの下流側に配置するので、耐久性も良好に確保される。
【００１１】
第２、第３の発明においては、エンジンの排気は、各排気マニホールドにより、排気行程のオーバラップしない気筒群毎に分けられ、合流部からターボ過給機のタービンへ流れる。その際、先細ノズル形状の流路部により、排気パルスが加速され、合流部に吹き出る排気の流速により、合流部の静圧が下がるため、各排気マニホールド間を排気が低圧側へ逆流するのが抑えられ、排気パルスも逃げることなく下流へ伝えられる。EGR通路においても、先細ノズル形状の流路部により、排気パルスが加速され、合流部に吹き出る排気の流速により、合流部の静圧が下がるため、各分岐路間を排気が低圧側へ逆流するのが抑えられ、排気パルスも逃げることなく下流へ伝えられる。このため、ターボ過給機のタービン入口が１つの場合においても、排気パルスが十分に生かせるようになり、タービン効率およびEGR効率を良好に維持しえることになる。排気マニホールドの合流部およびEGR通路の合流部におけるエゼクタ作用により、ポンピングロスが低減され、NOxを低減しつつ、燃費や出力の向上が得られる。EGRガスは、ターボ過給機のタービン下流の各排気マニホールドから分岐路および合流路を流れ、吸気通路のエゼクタによって吸引されるようになる。合流路においては、EGRクーラによって冷却され、EGRバルブによってEGR量が調整される。EGRバルブは、EGRクーラの下流側に配置するので、耐久性も良好に確保される。
【００１２】
第１の発明または第２の発明に係るEGR通路は、吸気管の分岐部上流に接続される（図１または図７、参照）。
【００１３】
第３の発明においては、可変ノズル式ターボチャージャを備えるので、可変ノズルの制御により、広い運転領域において、高過給および高EGRが可能となり、低NOxと低燃費との高度な両立を実現できる。
【発明を実施するための最良の形態】
【００１４】
図１において、１０はエンジン１の吸気通路であり、吸気マニホールド１４と吸気管１５とから構成される。吸気マニホールド１４は、吸気行程がオーバラップしない気筒群毎に分割される。吸気管１５は、インタクーラ１３下流側が分岐され、各マニホールド１４ａ，１４ｂに接続される。１２ａはターボ過給機１２のコンプレッサであり、１１はエアクリーナである。
【００１５】
２０はエンジン１の排気通路であり、排気マニホールド２３と排気管２２とから構成される。排気マニホールド２３は、排気行程がオーバラップしない気筒群毎に分割され、これらマニホールド２３ａ，２３ｂの合流部２５にターボ過給機１２のタービン１２ａを介して排気管２２が接続される。２１はマフラである。
【００１６】
合流部２５は、図２のように構成される。排気マニホールド２３ａ，２３ｂは、互いに下流側が１つの接合部２４（フランジ）に結集され、合流部２５を接合面に開口する。１つの接合部２４に結集する下流側の流路部２６ａ，２６ｂが接合面の開口へ向けて先細ノズル形状になっている。３０はタービンハウジングであり、排気マニホールド２３ａ，２３ｂの接合部２４（フランジ）に対応する接合部３１（フランジ）が形成され、タービン１２ｂの入口が接合面に開口する。排気マニホールド２３ａ，２３ｂの接合部２４にタービンハウジング３０の接合部３１が結合され、タービンハウジング３０の内部へ接合面の開口（合流部２５）を滑らかに延長するディフューザ部３３が形成される。
【００１７】
この場合、ターボ過給機１２として、可変ノズル式ターボチャージャが用いられ、合流部２５の最小流面積はタービンハウジング３０の内部に設定され、最小流路面積の下流側（流路）が可変ノズル３２を囲むスクロールへ拡張するように形成される。合流部２５の最小流路面積は、先細ノズル形状の流路部２６ａ，２６ｂの最大流路面積の総和よりも小さく設定され、先細ノズル形状の流路部２６ａ，２６ｂにより、排気パルスが加速され、合流部２５において、先細ノズル形状の流路部２６ａ，２６ｂから吹き出る排気の流速によって動圧が上がり、静圧が下げられ、その後、ディフューザ部３３により、排気の流れが減速され、スクロールの静圧を上げるようになっている。ターボ過給機１２のコンプレッサ１２ａは、タービン１２ｂの回転により駆動され、各気筒への吸気を過給する。
【００１８】
図１において、４０はターボ過給機１２のタービン１２ｂ上流からターボ過給機１２のコンプレッサ１２ａ下流へ排気の一部を環流させるEGR通路であり、上流側の分岐路４０ａ，４０ｂと下流側の合流路４０ｃとからなり、分岐路４０ａ，４０ｂがそれぞれ排気マニホールド２３ａ，２３ｂに接続され、合流路４０ｃがインタクーラ１３下流の吸気管１５に接続される。合流路４０ｃにおいて、EGRガスを冷却するEGRクーラ４１、EGR量を調整するEGRバルブ４２、EGRガスの逆流を規制するリードバルブ４３が介装される。
【００１９】
分岐路４０ａ，４０ｂの合流部４５は、図３のように構成される。分岐路４０ａ，４０ｂは、互いに下流側が１つの接合部４６（フランジ）に結集され、接合面にそれぞれ開口する。１つの接合部４６に結集する下流側の流路部４４ａ，４４ｂが接合面の開口へ向けて先細ノズル形状になっている。５０はEGRクーラ４１のケーシングであり、分岐路４０ａ，４０ｂの接合部４６（フランジ）に対応する接合部５１（フランジ）が形成され、EGRクーラ４１の入口が接合面に開口する。分岐路４０ａ，４０ｂの接合部４６にケーシング５０の接合部５１が結合され、ケージング５０の内部へ接合面の開口（合流部４５）を滑らかに延長するディフューザ部（図示せず）が形成される。分岐路４０ａ，４０ｂは、排気マニホールド２３ａ，２３ｂに接合部４７ａ，４７ｂ（フランジ）を介して直接的または間接的に接続されるのである。
【００２０】
合流部４５の最小流路面積は、先細ノズル形状の流路部の最大流路面積の総和よりも小さく設定され、先細ノズル形状の流路部４４ａ，４４ｂにより、排気パルスが加速され、合流部４５において、先細ノズル形状の流路部４４ａ，４４ｂから吹き出る排気の流速によって動圧が上がり、静圧が下げられ、その後、ディフューザ部により、排気の流れが減速され、クーラコア前面の静圧を上げるようになっている。
【００２１】
このような構成により、排気マニホールド２３ａ，２３ｂの合流部２５において、静圧が下がることにより、排気マニホールド２３ａ，２３ｂ間を排気が低圧側へ逆流することが抑えられ、排気パルスも低圧側へ逃げることがなく下流へ伝えられる。また、EGR通路４０の合流部４５において、静圧が下がることにより、分岐路４０ａ，４０ｂ間を排気が低圧側へ逆流することが抑えられ、排気パルスも低圧側へ逃げることがなく下流へ伝えられる。このため、タービン入口が１つの可変ノズル式ターボチャージャ１２においても、排気パルスが十分に生かせるようになり、タービン効率およびEGR効率を良好に維持しえることになる。合流部２５，４５におけるエゼクタ作用により、ポンピングロスが低減され、NOxを低減しつつ、燃費や出力の向上が得られる。
【００２２】
可変ノズル式ターボチャージャ１２を備えるため、可変ノズルの制御により、広い運転領域において、高過給および高EGRが可能となり、低NOxと低燃費との高度な両立を実現できるのである。EGR通路４０においては、EGRクーラ４１の入口に分岐路４０ａ，４０ｂが接続され、EGRバルブ４２およびリードバルブ４３をEGRクーラ４１の下流側に配置するので、これらバルブ４２，４３の耐久性も良好に確保される。
【００２３】
排気系において、ディフューザ部３３は、タービンハウジング３０と一体に形成するのでなく、図４のように別体のスペーサとしてタービンハウジング３０の接合部３１（フランジ）と排気マニホールド２３ａ，２３ｂの接合部２４（フランジ）との間に介装してもよい。先細ノズル形状の流路部２６ａ，２６ｂについても、排気マニホールド２３ａ，２３ｂと一体に形成するのでなく、図５のように別体のスペーサとして排気マニホールド２３ａ，２３ｂの接合部２４（フランジ）とタービンハウジング３０の接合部 ３１（フランジ）との間に介装してもよい。EGR系において、分岐路４０ａ，４０ｂは、EGRクーラ４１のケーシング５０と別体に形成するのでなく、図６のようにケーシング５０と一体に形成してもよい。
【００２４】
図７は、別の実施形態を表すものであり、吸気管１５において、EGR通路４０との接続部にベンチュリ型のエゼクタ６０が設けられる。これにより、ベンチュリ部を通過する吸気の流速に応じた負圧が発生するので、この負圧に吸引され、EGRガスがエゼクタ６０へ効率よく供給しえるようになる。この場合、リードバルブ４３（図１、参照）は、EGR通路４０から取り外される。他の構成は、図１の実施形態と実質的に同一のため、同一の符号を付ける。
【図面の簡単な説明】
【００２５】
【図１】この発明の実施形態を表す全体的な概略構成図である。
【図２】同じく排気マニホールドの合流部に係る構成図である。
【図３】同じくEGR通路の合流部に係る構成図である。
【図４】同じく排気マニホールドの合流部に係る構成図である。
【図５】同じく排気マニホールドの合流部に係る構成図である。
【図６】同じくEGR通路の合流部に係る構成図である。
【図７】別の実施形態を表す全体的な概略構成図である。
【符号の説明】
【００２６】
１２  ターボ過給機（可変ノズル式ターボチャージャ）
１３  インタクーラ
２３，２３ａ，２３ｂ  排気マニホールド
２５  合流部（排気通路）
２６ａ，２６ｂ  先細ノズル形状の流路部（排気通路）
３０  タービンハウジング
３３  ディフューザ部
４０  EGR通路
４０ａ，４０ｂ  分岐路
４０ｃ  合流路（EGR通路）
４１  EGRクーラ
４４ａ，４４ｂ  先細ノズル形状の流路部（EGR通路）
４５  合流部
【図１】
0004566093.tif 000002
【図２】
0004566093.tif 000003
【図３】
0004566093.tif 000004
【図４】
0004566093.tif 000005
【図５】
0004566093.tif 000006
【図６】
0004566093.tif 000007
【図７】
0004566093.tif 000008